(57)【特許請求の範囲】
【請求項１】
防水シールで保護された領域の縁において、防水シールペースト（２０１）を床排水管（２００）に付着させるための接合形材（１００）であって、
前記接合形材（１００）は、前記床排水管（２００）に緊密に固定され、
前記接合形材（１００）は、第１の溝（１０１）と第２の溝（１０３）を備え、
前記第１の溝（１０１）は前記接合形材（１００）の内部に向かって広がり、前記第１の溝（１０１）内部に横幅の広い箇所（１０２）を形成し、
前記第２の溝（１０３）は前記接合形材（１００）の内部に向かって広がり、前記第２の溝（１０３）内部に横幅の広い箇所（１０４）を形成し、
前記第１の溝（１０１）および前記第２の溝（１０３）は、前記接合形材（１００）に塗布された防水シールペースト（２０１）を受け入れることができるようにした、前記接合形材（１００）において、
前記防水シールペースト（２０１）を前記第１の溝（１０１）および前記第２の溝（１０３）に塗布する間に前記第１の溝（１０１）および前記第２の溝（１０３）から気体が出て行くように誘導するために、前記第１の溝（１０１）の前記横幅の広い箇所（１０２）に開口（１０５）が配置され、前記第２の溝（１０３）の前記横幅の広い箇所（１０４）に開口（１０６）が配置されることを特徴とする、接合形材（１００）。
【請求項２】
前記接合形材（１００）の材料は、前記防水シールペーストに対して不浸透性であることを特徴とする、請求項１に記載の接合形材（１００）。
【請求項３】
防水シールされた表面の縁に固定される床排水管（２００）であって、
前記床排水管（２００）は接合形材（１００）を備え、
前記接合形材（１００）は、第１の溝（１０１）と第２の溝（１０３）を備え、
前記第１の溝（１０１）は前記接合形材（１００）の内部に向かって広がり、前記第１の溝（１０１）内部に横幅の広い箇所（１０２）を形成し、
前記第２の溝（１０３）は前記接合形材（１００）の内部に向かって広がり、前記第２の溝（１０３）内部に横幅の広い箇所（１０４）を形成し、
前記第１の溝（１０１）および前記第２の溝（１０３）は、前記接合形材（１００）に塗布される前記防水シールペースト（２０１）を受け入れることができるようにした、前記床排水管（２００）において、
前記防水シールペースト（２０１）を前記第１の溝（１０１）および前記第２の溝（１０３）に塗布する間に前記第１の溝（１０１）および前記第２の溝（１０３）から気体が出て行くように誘導するために、前記第１の溝（１０１）の前記横幅の広い箇所（１０２）に開口（１０５）が配置され、前記第２の溝（１０３）の前記横幅の広い箇所（１０４）に開口（１０６）が配置されることを特徴とする、床排水管（２００）。
【請求項４】
前記接合形材（１００）の上面は、防水シールする表面の高さに取り付けられるようにしたことを特徴とする、請求項３に記載の床排水管（２００）。
【請求項５】
請求項１に記載の前記接合形材（１００）または請求項３に記載の前記床排水管（２００）を使用して、防水シールで保護された領域の縁に防水シールペーストを付着させる方法。
【発明の詳細な説明】
【技術分野】
【０００１】  本発明は、例えば浴室などの湿気の多い空間を防水シールするのに使用される接合形材素子、および防水シール方法に関する。
【背景技術】
【０００２】  先行技術による床排水管の防水シールには、複数の作業ステップを必要とし、これらのステップの多くでは、確実に防水する防水シールにするために多大な配慮をしなければならない。典型的な方法では、防水シールペーストに含浸させた多孔性の強化繊維が、クランプリングおよびガスケットを用いて床下排水の開口周りに設置される。例えば強化繊維を防水シールペーストに含浸させるステップ、またはクランプリングを固定するステップなどの作業ステップでは、何らかの些細なエラーでシールに孔ができるおそれがあり、この孔を介して、例えばコンクリート床に水分が入り込むことがある。クランプリングのガスケットも、長期的には壊れやすくなり、シール能力を失うことがあり、それによって水分が建物構造の内部に進入することがある。
【発明の概要】
【発明が解決しようとする課題】
【０００３】  本発明の目的は、防水シールするコンクリート打設部などの表面の縁に取り付けられる、例えば床排水管などの構造を、緊密かつ簡易に防水シールに接合するための方法および手段を提供することである。
【課題を解決するための手段】
【０００４】  本発明の一態様は、防水シールで保護する領域の縁で防水シールペーストを構造に結合するための接合形材である。接合形材は、構造に緊密に付着されるように適応されること、および設置後の接合形材が、接合形材に塗布された防水シールペーストを受け入れるように適応した少なくとも１つの第１の溝を、構造と一緒に備えるまたは形成することを特徴とする。【０００５】  本発明の一実施形態では、接合形材の第１の溝は、内部に向かって開口可能／延出可能なものであり、すなわち溝は、例えば第１の溝の広い方の箇所および第１の溝の狭い方の箇所を備え、第１の溝の狭い方の箇所は、第１の溝の広い方の箇所よりも設置後の接合形材の上面に近い所に位置する。防水シールペーストを塗布する間に第１の溝から気体が出て行くように誘導するために、少なくとも１つの開口が第１の溝の広い方の箇所に配置される。【０００６】  構造は、例えば床排水管素子またはその一部とすることができる。接合形材は、床排水管素子またはその一部にしっかりかつ／または緊密に付着されるように適応されることができる。【０００７】  接合形材の材料は、有利には、防水シールペーストに対して不浸透性の材料とすることができる。【０００８】  本発明のもう１つの態様は、防水シールペーストでシールする表面の縁に固定することができる床排水管素子である。この床排水管素子は、少なくとも１つの第１の溝を備える接合形材を備え、この溝は、接合形材に塗布された防水シールペーストを受け入れるように適応されることを特徴とする。【０００９】  接合形材は、実質的に防水シールするコンクリート打設部などの表面の高さに取り付けられるように適応されることができる。【００１０】  本発明の第３の実施形態は、上記の接合形材または床排水管素子を使用して、防水シールで保護する領域の縁に防水シールペーストを付着させる方法である。
【図面の簡単な説明】
【００１１】  以下に、好適な実施例および添付の図面を参照して、本発明をさらに詳細に説明していく。【００１２】
【図１】本発明の一実施形態による接合形材の図である。
【図２ａ】本発明のもう１つの実施形態による接合形材を床排水管素子の一部として使用する様子を示す図である。
【図２ｂ】本発明のもう１つの実施形態による接合形材を床排水管素子の一部として使用する様子を示す図である。
【発明を実施するための形態】
【００１３】  図１は、防水シールする領域の縁に位置する床排水管などの構造に、防水シールペーストを付着させるための接合形材１００の断面図および部分拡大図１１０を示す。接合形材１００は、第１の溝１０１を備え、この溝は、接合形材１００の内部に向かって広がり、第１の溝１０１内部に第１の溝の広い方の箇所１０２を形成する。接合形材１００の形状は、例えば筒状または長方形の床排水管素子などの構造に、しっかりと緊密に取り付けられるような形状である。図の例では、接合形材１００の第２の溝の狭い方の箇所１１１および第２の溝の広い方の箇所１０４は、第２の溝１０３を形成し、この溝内には、接合形材１００の第２の溝の広い方の箇所１０４が内部に向かって広がり、この状態で、接合形材１００は、構造に固定される。防水シールペーストを接合形材１００に塗布する間、ペーストは、接合形材の第１の溝１０１、第２の溝１０３に浸透し、特に第１の溝の広い方の箇所１０２、第２の溝の広い方の箇所１０４に浸透する。第１の溝１０１および第２の溝１０３内で捕捉された空気は、接合形材の第１の開口１０５および第２の開口１０６を通って出て行く。乾燥後、防水シールペーストは、第１の溝１０１および第２の溝１０３の壁に緊密に接着し、内部に向かって厚みが増すシール形材を形成する。接合形材１００の表面および特に接合形材の第１の溝１０１および第２の溝１０３に嵌合したペーストによって、防水シールの縁は、水密になり、確実な位置に設置される。接合形材１００は、例えば表面１０７および／または表面１０８を構造に溶着または接着することによって、床排水管素子（図２ａおよび図２ｂの２００）のような構造に緊密に付着するようになっている。
【００１４】  防水シールペーストは、当業者に公知の任意のペーストであってよく、このペーストは、塗布によって取り付けられ、例えば浴室などの湿気の多い空間を防水シールするのに使用される。接合形材１００の材料は、例えばプラスチックなど、防水シールペーストが接合形材１００の表面および第１の溝１０１および第２の溝１０３に接着するとともに接合形材１００を構造（例えば図２ａの２００）に緊密に固定できるように、適切に選択されることができる。
【００１５】
図２ａは、床排水管素子２００に接合形材１００を固定した構造を示し、本発明の一実施形態による接合形材１００は、床排水管素子２００にしっかりと緊密に固定されている。
【００１６】  図２ｂは、図２ａの床排水管素子２００の断面図であり、床排水管素子２００および接合形材１００を設置した状況である。例えば筒状の床排水管素子２００は、コンクリート打設部２０２などの防水シールする表面にしっかりと取り付けられる。床排水管素子２００は、例えば長方形など、別の形状であってもよい。例えば環状の床排水管素子２００と合致する形状の接合形材１００が、例えば接着、溶着または当業者に公知のその他の適切な接合方法によって床排水管素子２００に緊密に固定される。防水シールペースト層２０１が、例えばロール、へらまたはブラシなどを用いてコンクリート打設部２０２などの防水シールする表面および接合形材に塗布される。塗布の過程で、ペーストは、接合形材１００の第１の溝１０１および第２の溝１０３に浸透し、接合形材の第１の溝の広い方の箇所１０２および第２の溝の広い方の箇所１０４にも浸透する。第１の溝の広い方の箇所１０２および第２の溝の広い方の箇所１０４のエアポケットに捕捉される可能性のある空気は、第１の開口１０５および第２の開口１０６を通って第１の溝１０１および第２の溝１０３から出て行く。乾燥後、断水層２０１は、コンクリート打設部２０２などの防水シールする表面および接合形材１００の第１の溝１０１および第２の溝１０３の両方にしっかりと接着される。最終的には、床排水管素子２００とコンクリート打設部２０２などの防水シールする表面との間には、わずかな作業ステップのみを使用して防水シールペーストを介した水密の接合箇所ができる。
【００１７】  説明を明瞭にするため、上記に示した例示的実施形態は、その構造および機能性の点で比較的簡易であることは、当業者には明らかである。本特許出願で示したモデルを使用して、本特許出願で示した発明性のある原理を有利にする様々な対策を構築することが可能である。本接合形材１００は、例えば壁全体に沿って延びる床排水管の縁に水密に取り付けることのできるまっすぐなラッチなど、どのような形状のものであってもよい。  
【図１】
0005561505.tif 000002
【図２ａ】
0005561505.tif 000003
【図２ｂ】
0005561505.tif 000004